(57)【要約】【課題】受電端の電流を減らす充電装置を提供することを目的としている。【解決手段】受電端において商用電力系統に接続する負荷と並列に接続する充電装置において、受電端に接続されている負荷が作動時の無効電流値に基づき受電端の電流位相値を算出する位相算出部１２と、算出された電流位相値に基づき受電端の力率を所望の値になるように充電電流を制御する電流制御部１３とを備える。また、電流制御部１３は、所望の力率になるように当該充電装置の電流の位相を制御する。【選択図】図１
2011234491.tif 000002
【特許請求の範囲】
【請求項１】
受電端において商用電力系統に接続する負荷と並列に接続する充電装置において、
前記受電端に接続されている負荷が作動時の無効電流値に基づき前記受電端の電流位相値を算出する位相算出部と、
前記算出された電流位相値に基づき前記受電端の力率を所望の値になるように充電電流を制御する電流制御部と、
を備えることを特徴とする充電装置。
【請求項２】
前記受電端の無効電流値を測定する無効電流測定部、
を更に備え、
前記位相算出部は、前記測定された無効電流値に基づき前記受電端の電流位相値を算出する
ことを特徴とする請求項１に記載の充電装置。
【請求項３】
前記電流制御部は、
前記受電端に接続されている負荷が動作していない場合または負荷が接続されていない場合に当該充電装置の力率を１にする電流に制御し、
前記無効電流測定部は、
前記電流制御部が前記力率を１に制御しているときに前記無効電流値を測定する
ことを特徴とする請求項１または請求項２に記載の充電装置。
【請求項４】
前記受電端の無効電流値を記憶する記憶部、
を更に備え、
前記位相算出部は、前記記憶されている無効電流値に基づき前記受電端の電流位相値を算出する
ことを特徴とする請求項１に記載の充電装置。  
【請求項５】
時刻取得部を更に備え、
前記記憶部は、
前記受電端の無効電流値を時刻と関連づけ記憶し、
前記位相算出部は、前記時刻取得部が取得した時刻に基づいて前記記憶部から前記無効電流値を読み出し、前記読み出した無効電流値に基づき前記受電端の電流位相値を算出する
ことを特徴とする請求項４に記載の充電装置。
【請求項６】
充電装置の充電方法において、
位相算出部が、受電端に接続されている負荷が作動時の無効電流値に基づき前記受電端の電流位相値を算出する位相算出工程と、
電流制御部が、前記算出された電流位相値に基づき前記受電端の力率を所望の値になるように充電電流を制御する電流制御工程と、
を備えることを特徴とする充電方法。
【発明の詳細な説明】
【技術分野】
【０００１】
本発明は、充電装置及び充電方法に関する。
【背景技術】
【０００２】
電気自動車等のバッテリーに充電を行う充電装置を、例えば商用施設に設置する場合、図７のように、商用電力系統２０４の受電端２０５には、すでに電力使用装置２２０（装置１（２２１）、装置２（２２２）、・・・）が接続されていることがある。図７は、充電装置を含む電流系統の構成を説明する図である。このような受電端２０５に新たに充電装置２１０を接続した場合、受電端２０５の電流量の総量は、充電装置２１０が使用する電流Ｉｃｈａｒｇ分増大する。このため、配電容量を大きくする工事を行ったり、電力会社との契約アンペア数を大きくするなど、充電装置２１０の設置に伴うコストアップが伴う場合がある。例えば、充電装置の定格が１０Ａであり、充電装置設置前の契約アンペア数が２０Ａの場合、充電装置の設置のために契約アンペア数を３０Ａにする。
【０００３】
一般的な充電装置２１０は、系統電圧Ｖｓと充電電流Ｉｃｈａｒｇの位相差をゼロにする（力率を１に保つ）ように制御することで、充電装置２１０への入力電流を最小にするように制御している（例えば、特許文献１参照）。
【先行技術文献】
【特許文献】
【０００４】
【特許文献１】特開２００９−２４７１０１号公報
【発明の概要】
【発明が解決しようとする課題】
【０００５】
一方、商用電力系統２０４に接続されている電力利用装置２２０の中で、空気調和機、電動昇降機、冷凍装置などの電力消費量が多い。これらの装置において、一般的にその装置への入力電流は、系統電圧Ｖｓに対して電流の位相が遅れて流れる。このため、これらの電力消費装置２２０がすでに接続されている受電端２０５に充電装置２１０を設置した場合、受電端２０５の電流Ｉｓは、次式（１）のように充電装置２１０への入力電流Ｉｃｈａｒｇと電力消費装置２２０への入力電流Ｉｌｏａｄを足した電流である。
【０００６】
【数１】
2011234491.tif 000003
【０００７】
図８は、受電端２０５の力率を説明する図であり、式（１）の各ベクトル成分を複素平面で表した図である。図８において、横軸Ｒｅは実数、縦軸Ｉｍは虚数である。図８のように、受電端２０５に流れる電流Ｉｓは系統電流Ｖｓに対して位相が遅れている。このように、受電端２０５の位相が遅れて電流が流れるため、余分な電流が受電端２０５に流れて充電装置を設置する商用施設に対し、充電装置２１０設置に伴う契約アンペア数を大きくした上に、位相遅れによる余分な電流分に対して、さらに配電容量を大きくする工事を行ったり、電力会社との契約アンペア数を大きくするなど、電流増加による充電装置２１０の設置に伴うコストアップ要因を誘発するという問題点があった。
【０００８】
本発明は、上記の問題点に鑑みてなされたものであって、受電端の電流を減らす充電装置を提供することを目的としている。
【課題を解決するための手段】
【０００９】
上記目的を達成するため、本発明に係る充電装置は、受電端において商用電力系統に接続する負荷と並列に接続する充電装置において、
前記受電端に接続されている負荷が作動時の無効電流値に基づき前記受電端の電流位相値を算出する位相算出部と、前記算出された電流位相値に基づき前記受電端の力率を所望の値になるように充電電流を制御する電流制御部とを備えることを特徴としている。
【００１０】
また、本発明に係る充電装置において、前記受電端の無効電流値を測定する無効電流測定部を更に備え、前記位相算出部は、前記測定された無効電流値に基づき前記受電端の電流位相値を算出するようにしてもよい。
【００１１】
また、本発明に係る充電装置において、前記電流制御部は、前記受電端に接続されている負荷が動作していない場合または負荷が接続されていない場合に当該充電装置の力率を１にする電流に制御し、前記無効電流測定部は、前記電流制御部が前記力率を１に制御しているときに前記無効電流値を測定するようにしてもよい。
【００１２】
また、本発明に係る充電装置において、前記受電端の無効電流値を記憶する記憶部を更に備え、前記位相算出部は、前記記憶されている無効電流値に基づき前記受電端の電流位相値を算出するようにしてもよい。
【００１３】
また、本発明に係る充電装置において、時刻取得部を更に備え、前記記憶部は、前記受電端の無効電流値を時刻と関連づけ記憶し、前記位相算出部は、前記時刻取得部が取得した時刻に基づいて前記記憶部から前記無効電流値を読み出し、前記読み出した無効電流値に基づき前記受電端の電流位相値を算出するようにしてもよい。
【００１４】
上記目的を達成するため、本発明に係る充電装置の充電方法は、充電装置の充電方法において、位相算出部が、受電端に接続されている負荷が作動時の無効電流値に基づき前記受電端の電流位相値を算出する位相算出工程と、電流制御部が、前記算出された電流位相値に基づき前記受電端の力率を所望の値になるように充電電流を制御する電流制御工程とを備えることを特徴としている。
【発明の効果】
【００１５】
本発明によれば、受電端における電力利用装置の無効電流を測定し、測定した無効電流に基づき、受電端の力率を１にする充電装置の電流の位相を算出し、算出した位相に基づいて充電装置の電流を制御するようにしたので、受電端の無効電流を抑圧し、余分な電流が流れないように制御したので、受電端の電流を減らすことができ充電装置設置によるコストを抑圧できる。
【００１６】
また、本発明によれば、受電端における電力利用装置の無効電流を記憶部に記憶させ、記憶されている無効電流に基づき、受電端の力率を１にする充電装置の電流の位相を推定して算出し、算出した位相に基づいて充電装置の電流を制御するようにしたので、受電端の無効電流を抑圧し、余分な電流が流れないように制御したので、受電端の電流を減らすことができ充電装置設置によるコストを抑圧できる。
【図面の簡単な説明】
【００１７】
【図１】第１実施形態に係る充電装置のブロック図である。
【図２】同実施形態に係る受電端の力率を説明する図である。
【図３】同実施形態に係る電流制御方法のフローチャートである。
【図４】第２実施形態に係る充電装置のブロック図である。
【図５】同実施形態に係る記憶部に記憶されているタイムテーブルのデータの一例を示す図である。
【図６】同実施形態に係る電流制御方法のフローチャートである。
【図７】従来技術に係る充電装置を含む電流系統の構成を説明する図である。
【図８】従来技術に係る受電端の力率を説明する図である。
【発明を実施するための形態】
【００１８】
以下、図１〜図６を用いて本発明の実施形態について詳細に説明する。なお、本発明は斯かる実施形態に限定されず、その技術思想の範囲内で種々の変更が可能である。
【００１９】
［第１実施形態］
図１は、本実施形態における充電装置のブロック図である。図１のように、充電装置１は、無効電流測定部１１と、位相算出部１２と、電流制御部１３と、充電供給部１４とを備える。また、充電装置１は、商用電力系統４の受電端５に接続され、受電端５には電力利用装置３が接続されている。なお、電力利用装置３は、空気調和機、電動昇降機、冷凍装置等であり、１台以上の装置が接続されているとする。さらに、充電装置１には、バッテリー２が接続されている。バッテリー２が、例えば、電気自動車等に内蔵されている場合、充電供給部１４を電気自動車の充電端子などに接続するようにしてもよい。
【００２０】
無効電流測定部１１は、商用電力系統４の受電端５の前に挿入され電流Ｉｓの供給を受け、供給された電流Ｉｓの無効電流値を測定し、測定した電流Ｉｓの無効電流値を位相算出部１２に出力する。また、無効電流測定部１１は、供給された電流Ｉｓを受電端５に出力する。
【００２１】
位相算出部１２には、測定された電流Ｉｓの無効電流値と電流制御部１３から電流Ｉｃｈａｒｇの無効電流値とが入力される。また、位相算出部１２は、入力された電流Ｉｃｈａｒｇの電流値から、その実数部の値Ｉａを算出し、入力された電流Ｉｓの無効電流値を用いて電流Ｉｃｈａｒｇの無効電流成分Ｉｂを算出する。さらに、位相算出部１２は、算出した電流Ｉｃｈａｒｇ値の実数部の値Ｉａと電流Ｉｓの無効電流値を用いて、電流Ｉｃｈａｒｇの制御目標値である位相θ２’を算出し、算出した電流Ｉｃｈａｒｇの位相θ２’を電流制御部１３に出力する。
【００２２】
電流制御部１３には、電流Ｉｃｈａｒｇの算出された位相θ２’が入力される。電流制御部１３は、入力された電流Ｉｃｈａｒｇの位相θ２’に応じて電流Ｉｃｈａｒｇの位相をθ２’進めるように電流Ｉｃｈａｒｇを制御し、受電端５から位相がθ２’進められた電流Ｉｃｈａｒｇが供給され、供給された電流を充電供給部１４に供給する。
【００２３】
充電供給部１４には、電流制御部１３で制御された電流が供給される。充電供給部１４は、供給された電流をバッテリー２に供給して充電を行う。
【００２４】
次に、受電端５に流れる電流Ｉｓを最小化する方法について説明する。充電装置１の入力電流Ｉｃｈａｒｇを複素形式で表すと、次式（２）のように表すことができる。
【００２５】
【数２】
2011234491.tif 000004
【００２６】
受電端５に接続されている電力利用装置３へ流れ込んでいる電流Ｉｌｏａｄは、位相がθ１の場合、次式（３）のように表すことができる。
【００２７】
【数３】
2011234491.tif 000005
【００２８】
この商用電力系統４の受電端５に流れる電流Ｉｓは、電流Ｉｃｈａｒｇと電流Ｉｌｏａｄとの和であり、式（２）と式（３）を用いて、次式（４）のように表すことができる。
【００２９】
【数４】
2011234491.tif 000006
【００３０】
式（４）において、第２項の虚数部が無効電力であるので、この第２項Ｉｂ＋Ｉｌｏａｄｓｉｎθ１をゼロになるように制御することで、受電端５に流れる電流Ｉｓを最小にすることができる。
この虚数部Ｉｂ＋Ｉｌｏａｄｓｉｎθ１をゼロにするには、Ｉｂ＝−Ｉｌｏａｄｓｉｎθ１の大きさの無効電流を電流制御部１３で位相を進めるように制御すれば良い。また、無効電流Ｉｂ＝−Ｉｌｏａｄｓｉｎθ１の場合、電流Ｉｃｈａｒｇの電圧に対する位相θ２と実数部Ｉａとは、図２（ａ）の関係にあるため、次式（５）のように表すことができる。図２は、受電端の力率を説明する図である。
【００３１】
θ２＝ａｒｃｔａｎ（Ｉｂ／Ｉａ）＝ａｒｃｔａｎ（−Ｉｌｏａｄｓｉｎθ１／Ｉａ）・・・（５）
【００３２】
すなわち、無効電流値Ｉｂ（または位相θ２）の電流Ｉｃｈａｒｇを流すことで、受電端５の力率を１に保つことができ、受電端５に流れる電流Ｉｓを最小にすることができる。
【００３３】
次に、本実施形態における受電端５に流れる電流Ｉｓを最小化する方法の一例について図１〜図３を用いて説明する。図３は、本実施形態における電流制御方法のフローチャートである。
まず、初期状態において、充電装置１の電流Ｉｃｈａｒｇは、電力利用装置３が接続されていない、すなわち、受電端５の電流が電圧に対して位相ズレがない状態、力率＝１になるように設定されている（ステップＳ１）。このため、図２（ａ）のように、電流Ｉｃｈａｒｇは実数部Ｉａのみで、虚数部Ｉｂはゼロである。図２（ａ）は、初期状態における受電端の力率を説明する図である。
【００３４】
初期状態のとき且つ電力利用装置３が作動しているとき、無効電流測定部１１は、受電端５の電流値Ｉｓと電圧値Ｖｓと無効電流を測定する（ステップＳ２）。測定された無効電流は、Ｉｂ＝０のためＩｌｏａｄｓｉｎθ１である。
次に、無効電流測定部１１は、測定した無効電流Ｉｌｏａｄｓｉｎθ１を位相算出部１２に出力する。
【００３５】
次に、位相算出部１２には、無効電流測定部１１から算出された電力利用装置３の無効電流成分Ｉｌｏａｄｓｉｎθ１と、電流制御部１３から電流Ｉｃｈａｒｇの実数部Ｉａ値とが入力される。位相算出部１２は、入力された電力利用装置３の無効電流成分に基づき、電流Ｉｃｈａｒｇを力率＝１に保つための無効電流成分Ｉｂ’＝−Ｉｌｏａｄｓｉｎθ１を算出する。次に、図２（ｂ）のように、電流Ｉｃｈａｒｇの実数部Ｉａを変更せずに、位相のみをθ２’に変更する（進める）ことで、受電端５の力率＝１に保つように、電流Ｉｓの無効電流をゼロにするように制御する。すなわち、位相算出部１２は、位相θ２’を、式（５）を用いて算出し、算出した位相θ２’を位相制御部１３に出力する（ステップＳ３）。図２（ｂ）は、位相を変更した場合の受電端の力率を説明する図である。
【００３６】
次に、電流制御部１３には、受電端５から電流が供給される。電流制御部１３は、算出された電流Ｉｃｈａｒｇの位相差θ２’が入力され、入力された位相差θ２’に基づき、電流Ｉｃｈａｒｇの位相差をθ２’進めるように制御する。すなわち、位相が進められた電流Ｉｃｈａｒｇ’は、実数部がＩａ、位相がθ２’である。また、電流制御部１３は、制御した電流を充電供給部１４に出力する（ステップＳ４）。
【００３７】
次に、充電供給部１４には、制御された電流が入力され、入力された電流を用いて、充電装置１に接続されているバッテリー２の充電を行う。図２（ｂ）のように、電流ＩｃｈａｒｇがＩｃｈａｒｇ’に変更されたことにより、電流ＩｓもＩｓ’に変更され、変更されたＩｓ’は次式（６）のように表される。
【００３８】
【数５】
2011234491.tif 000007
【００３９】
式（４）と式（６）のように、Ｉｓ’は、無効電流成分の項が無くなり、初期状態のＩｓと比較して電流値を小さくすることができる。
以後、所定の時間間隔でステップＳ２とステップＳ３を繰り返す。
なお、電流Ｉｃｈａｒｇの実数部Ｉａを変更せずに、位相のみをθ２’に変更する（進める）ことで、図２（ｂ）のように充電装置１の電流Ｉｃｈａｒｇ’は、位相を変更する前より増加するが、受電端５の電流Ｉｓの大きさが、Ｉｓ’のように小さくなる。
【００４０】
以上のように、受電端５における電力利用装置３の無効電流を測定し、測定した無効電流に基づき、受電端５の力率を１にする充電装置１の電流の位相を算出し、算出した位相に基づいて充電装置１の電流を制御するようにしたので、受電端５の無効電流を抑圧し、余分な電流が流れないように制御でき充電装置の設置によるコストを抑圧できる。
【００４１】
［第２実施形態］
図４は、本実施形態における充電装置のブロック図である。図４のように、本実施形態における充電装置１００と第１実施形態の充電装置１との差異は、第１実施形態の充電装置１にある無効電流測定部１１がなく、時刻取得部１０１と記憶部１０２とを更に備え、位相算出部１２ａの動作が異なっている。
【００４２】
時刻取得部１０１は、例えば、充電装置１００のクロックに基づき現在の時刻を取得し、取得した時刻データを位相算出部１２ａに出力する。
【００４３】
記憶部１０２には、図５のようなタイムテーブルのデータが記憶されている。図５は、記憶部１０２に記憶されているタイムテーブルのデータの一例を示す図である。図５のように、記憶部１０２には、表形式で、時刻のデータと受電端５に接続されている電力利用装置３の無効電流のデータとが関連付けられて記憶されている。例えば、時刻０時において、無効電流が５０であることを示している。
【００４４】
第１実施形態では、受電端５に接続されている電力利用装置３の電流Ｉｌｏａｄの無効電流値を実測して充電装置１の電流Ｉｃｈａｒｇを制御したが、第２実施形態では、無効電流値を実測ではなく、記憶部１０２に記憶されているデータに基づいて算出して充電装置１００の電流Ｉｃｈａｒｇを制御する。
【００４５】
次に、本実施形態における受電端５に流れる電流Ｉｓを最小化する方法の一例について図４〜図６を用いて説明する。図６は、本実施形態における電流制御方法のフローチャートである。
まず、時刻取得部１０１は、現在時刻を取得し、取得した時刻データを位相算出部１２ａに出力する（ステップＳ１０１）。
【００４６】
次に、位相算出部１２ａには、時刻取得部１００から取得された時刻データと、電流制御部１３から電流Ｉｃｈａｒｇの実数部Ｉａ値と入力される。位相算出部１２ａは、取得した時刻データに基づき記憶部１０２に記憶されているデータから無効電流値を読み出す（ステップＳ１０２）。また、位相算出部１２ａは、読み出した電力利用装置３の無効電流値に基づき、電流Ｉｃｈａｒｇを力率＝１に保つための無効電流値Ｉｂ’＝−Ｉｌｏａｄｓｉｎθ１を推定して算出する（ステップＳ１０３）。次に、位相算出部１２ａは、位相θ２’を、式（５）を用いて算出し、算出した位相θ２’を電流制御部１３に出力する。
【００４７】
以下、第１実施形態と同様に、電流制御部１３は、算出された位相θ２’に基づき電流Ｉｃｈａｒｇの位相をθ２’に制御し、制御した電流を充電供給部１４に出力する。充電供給部１４には、制御された電流が入力され、入力された電流を用いて、充電装置１００に接続されている充電電流利用装置２のバッテリィの充電を行う。
第１実施形態と同様に、電流ＩｃｈａｒｇがＩｃｈａｒｇ’に変更されたことにより、電流ＩｓもＩｓ’に変更され、変更されたＩｓ’は式（６）のように電流Ｉｓより小さくなる。以後、所定の時間間隔でステップＳ１０１〜ステップＳ１０３を繰り返す。
【００４８】
以上のように、受電端５における電力利用装置３の無効電流を記憶部１０２に記憶させ、記憶されている無効電流に基づき、受電端５の力率を１にする充電装置１００の電流の位相を推定して算出し、算出した位相に基づいて充電装置１００の電流を制御するようにしたので、受電端５の無効電流を抑圧し、余分な電流が流れないように制御でき充電装置の設置によるコストを抑圧できる。
【００４９】
また、記憶部１０２に記憶されているデータは、予め時刻毎に無効電流を実測して、実測値に基づき予め記憶部１０２に書き込んで記憶させておいてもよく、または、統計的に算出された値に基づき予め記憶部１０２に書き込んで記憶させておいてもよい。さらに、時刻の間隔も、無効電流が所定の値以上、または割合以上、変化する時刻だけでもよく、または一定時間間隔、例えば１時間間隔等でもよい。
【００５０】
また、第１実施形態では、受電端５に接続されている電力利用装置３の電流Ｉｌｏａｄの無効電流値を実測して充電装置１の電流Ｉｃｈａｒｇを制御し、第２実施形態では、無効電流値を実測ではなく、記憶部１０２に記憶されているデータに基づいて算出して充電装置１の電流Ｉｃｈａｒｇを制御する例を説明したが、充電装置１（または１００）は無効電流測定部１１と記憶部１０２を両方備えるようにしてもよい。この場合、例えば、記憶部１０２に記憶されている時刻には記憶部１０２に記憶されている無効電流の値を用いて位相を推定して算出し、記憶部１０２に記憶されていない時刻には、所定の時間間隔で無効電流を実測して位相を算出するようにしてもよい。
【００５１】
また、本実施形態では、受電端５の力率を１に制御する例を説明したが、用途に応じて他の値でもよい。この場合、目標とする力率に基づき電流Ｉｓの位相を算出し、算出した位相値と、位相算出部１２（または１２ａ）が算出した位相θ２’とを用いて制御できる。例えば、目標とする力率から算出された位相値が＋１０度の場合、位相算出部１２（または１２ａ）が算出した位相θ２’に、さらに＋１０度加算した値が位相θ２’である。
【００５２】
なお、本実施液体では、受電端５と充電装置１を配線する場合のインピーダンスについて説明しなかったが、配線インピーダンス（抵抗Ｒ、インダクタンスＬ）によって、充電装置１を接続している充電端の電圧Ｖｃｈａｒｇは、次式（７）のように、若干低下する。
【００５３】
Ｖｓ＝（Ｒ＋ｊω）Ｉｓ＋Ｖｃｈａｒｇ  ・・・（７）
【００５４】
ここで、配線インピーダンスが既知の場合、充電装置１の自装置による電圧値は既知のため、式（７）より電流Ｉｓを算出することが可能である。このように算出された電流Ｉｓを用いて、本実施形態の方法で力率を１に近づけるように制御するようにしてもよい。
一方、配線インピーダンスが既知でない場合、例えば、電流制御部１３が、充電装置１の位相を徐々に可変（位相を増加させていくか、位相を減少させていく）し、位相算出部１２が、最も充電端の電圧Ｖｃｈａｒｇが大きくなる位相を検出することで、力率を１に近づけるように制御するようにしてもよい。例えば、電圧が最も高い位相の場合、配線による電圧降下が最も小さいため、電流Ｉｓを最も小さくでき、すなわち力率１に近づけることができたことになる。
【００５５】
なお、実施形態の図１または図４の各部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等の可搬媒体、ＵＳＢ（Ｕｎｉｖｅｒｓａｌ  Ｓｅｒｉａｌ  Ｂｕｓ）  Ｉ／Ｆ（インタフェース）を介して接続されるＵＳＢメモリー、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００５６】
１・・・充電装置
２・・・バッテリー
３・・・電力利用装置
４・・・商用電力系統
５・・・受電端
１１・・・無効電流測定部
１２・・・位相算出部
１３・・・電流制御部
１４・・・充電供給部
１０２・・・記憶部
【図１】
2011234491.tif 000008
【図２】
2011234491.tif 000009
【図３】
2011234491.tif 000010
【図４】
2011234491.tif 000011
【図５】
2011234491.tif 000012
【図６】
2011234491.tif 000013
【図７】
2011234491.tif 000014
【図８】
2011234491.tif 000015